(57)【要約】【課題】安全かつ適正作動を保証し、消費電力を有効に低減し得る画像読取り装置を提供する。【解決手段】駆動ローラ４と駆動ローラ４に当接した従動ローラ６との間に原稿３を挟んで移動させる原稿給送機構と、原稿３上の画像を原稿位置に隣接した読取り開口９を通して画像読取りセンサー１２に投影する光学系とを有する。駆動ローラ４を保持する第１の枠体１と、従動ローラ６を保持する第２の枠体２とを有し、これら２つの枠体は、駆動ローラ４および従動ローラ６が当接した第１の状態と、駆動ローラ４および従動ローラ６が相互に分離した第２の状態とに移動可能に構成され、第２の状態においては原稿読取り動作が禁止される。【選択図】        図２
2004254169.tif 000002
【特許請求の範囲】
【請求項１】
駆動ローラとこの駆動ローラに当接した従動ローラとの間に原稿を挟んで移動させる原稿給送機構と、原稿上の画像を原稿位置に隣接した読取り開口を通して画像読取りセンサーに投影する光学系とを有した画像読取り装置であって、
前記駆動ローラを保持する第１の枠体と、前記従動ローラを保持する第２の枠体とを有し、これら２つの枠体は、前記駆動ローラおよび前記従動ローラが当接した第１の状態と、前記駆動ローラおよび前記従動ローラが相互に分離した第２の状態とに移動可能に構成され、前記第２の状態においては原稿読取り動作が禁止されるようにしたことを特徴とする画像読取り装置。
【発明の詳細な説明】
【０００１】
【発明の属する技術分野】
本発明は写真フィルム等の原稿の画像を読み取り、画像信号に変換する画像読取り装置に関する。
【０００２】
【従来の技術】
写真フィルム原稿をローラ等に挟み込んで、ローラを回転させることで原稿送りを行いながらフィルム上の画像をラインセンサーで読み取る画像読取り装置が知られている。特に原稿の通る通路を境にして分離できる構造にして、原稿通路の掃除や通路内で詰まった原稿の取出し等を可能にしたものが知られている（特許文献１および特許文献２参照）。
【０００３】
【特許文献１】
特開平１０‐１４５５３３号
【特許文献２】
特開平９‐６５２０１号
【０００４】
【発明が解決しようとする課題】
しかしながら、上述の従来例では原稿通路を境に分離し、清掃等が可能な状態での原稿送り機構の動作に関しての説明はない。そして、分離した状態で不用意に原稿送り機構が作動して原稿に損傷を与えたり、無駄な電力を消費したりすることへの対策が必要になる。また、原稿上の画像光を読取りセンサーに導くための開口部が外部に露出するため、そこからゴミや埃が内部に侵入し、センサー等に付着する場合があった。
【０００５】
本発明はかかる実情に鑑み、安全かつ適正作動を保証し、消費電力を有効に低減し得る画像読取り装置を提供することを目的とする。
【０００６】
【課題を解決するための手段】
本発明の画像読取り装置は、駆動ローラとこの駆動ローラに当接した従動ローラとの間に原稿を挟んで移動させる原稿給送機構と、原稿上の画像を原稿位置に隣接した読取り開口を通して画像読取りセンサーに投影する光学系とを有した画像読取り装置であって、前記駆動ローラを保持する第１の枠体と、前記従動ローラを保持する第２の枠体とを有し、これら２つの枠体は、前記駆動ローラおよび前記従動ローラが当接した第１の状態と、前記駆動ローラおよび前記従動ローラが相互に分離した第２の状態とに移動可能に構成され、前記第２の状態においては原稿読取り動作が禁止されるようにしたことを特徴とする。
【０００７】
本発明によれば、原稿を挟む駆動ローラと従動ローラを分離させることで、ジャムを起こした原稿を取り出したり、ローラ面の清掃が容易になる。また、不必要なときに駆動ローラが作動することにより無駄な電力を消費したり、原稿に損傷を与える危険性が回避される。
【０００８】
【発明の実施の形態】
以下、本発明による画像読取り装置の好適な実施の形態を説明する。
図１〜図４は、本発明の実施形態を示している。図１〜図３において、１は本体枠、２は蓋枠であり、これらはヒンジ２ａにより回転可能に連結されている。蓋枠２は本体枠１に当接した図１の閉位置と、本体枠１から離れた図２の開位置との間を移動可能となっている。３は原稿フィルムであり、本体枠１に回転可能に保持された駆動ローラ４と、蓋枠２に回転可能に保持された従動ローラ６とに挟まれており、駆動ローラ４の回転に伴って図１において左右方向に移動可能である。駆動ローラ４は駆動モータ５に連結しており、駆動モータ５によって回転駆動される。従動ローラ６はバネ７によって駆動ローラ４に圧接するように付勢されている。
【０００９】
８は照明ランプであり、フィルム３上の画像を照明しており、フィルム３の照明された画像光は読取り用の開口９を通ってミラー１０およびレンズ１１によってＣＣＤラインセンサー１２上に投影されるようになっている。駆動ローラ４によってフィルム３を左右方向に移動させながら、ＣＣＤラインセンサー１２にて画像を読み取ることにより、フィルム３上の全画像を読み取ることができるようになっている。また照明ランプ８の保持機構は、図３に示すように蓋枠２を開状態にして、従動ローラ６側から照明ランプ８を着脱できるようになっており、照明ランプ８の交換が容易にできる構造となっている。
【００１０】
画像光の通路の入り口部の開口９の上には遮蔽板１３が左右方向に移動可能に配されており、モータ１４およびそれに連結したギア１５によって開口９を覆う位置（図２）と開口９から退避した位置（図１）との間を移動するようになっている。
【００１１】
１６は開閉スイッチであり、蓋枠２が閉位置（図１）にあるときに、蓋枠２の突起２ｂによって押され、ＯＮ状態になるように配置されている。１７はロックレバーであり、軸１７ａを中心に回転可能に蓋枠２に保持され、バネ１８によって反時計方向に付勢されており、ロック爪１７ｂを有している。蓋枠２が閉状態にあるときロックレバー１７のロック爪１７ｂは、本体枠１の爪部１ａと係合するようになっていｒ。そして両者が係合した際にはロックレバー１７のロック爪１７ｂがロック検知スイッチ１９を押してＯＮ状態にさせるようになっている。このロックレバー１７により蓋枠２は閉位置に確実に固定される。
【００１２】
２０は操作ボタンであり、装置の作動制御を行なう制御回路２２に接続されたスイッチ２１のＯＮ／ＯＦＦの操作を行う。
【００１３】
次に、図３の動作フローチャートに従って動作の説明を行う。
図示しない電源がＯＮになった待機状態（ステップＳ１０１）からまず、開閉スイッチ１６のＯＮ、ＯＦＦがチェックされる（ステップＳ１０２）。ＯＮ状態であることが確認されたら次には、蓋枠２をロックしているロックレバー１７の有無を検知するロック検知スイッチのＯＮ、ＯＦＦがチェックされる（ステップＳ１０３）。
【００１４】
これらの２つのスイッチがＯＮしていることが確認されて初めて、ステップＳ１０４に進み照明ランプ８が点灯される。続けて遮蔽板１３の開口９から退避した位置（図１）への移動が行われ（ステップＳ１０５）、読取り動作の準備動作が完了する。この状態で、フィルム原稿３が読取り装置に装填され、パソコンのマウス等の図示しない入力手段により読取り動作開始の指示がなされる（ステップＳ１０６）。すると、フィルム原稿３上の画像読取り動作が行われ（ステップＳ１０７）、一連の動作が終了する（ステップＳ１０８）。画像読取り動作自体はすでに公知の動作であるので、ここでは省略する。
【００１５】
一方、蓋枠２のロックレバー１７と本体枠１の爪部１ａとの係合が解除され、ロック検知スイッチ１９がＯＦＦになる（ステップＳ１０３）か、蓋枠２が上方に移動して突起２ｂが開閉検知スイッチ１６から離れ、ＯＦＦになる（ステップＳ１０２）と、照明ランプ８の消灯動作が行われ（ステップＳ１０９）。そして遮蔽板１３の開口９を覆う位置への移動動作が行われる（ステップＳ１１０）。
【００１６】
従って、蓋枠２が開位置にある場合（図２）では万が一、開閉スイッチ１６あるいはロック検知スイッチ１９のどちらかが故障しても確実に照明ランプ８は消灯し、遮蔽板１３は閉じることになる。更に、開閉スイッチ１６をＯＮ、ＯＦＦさせる部品とロック検知スイッチ１９をＯＮ、ＯＦＦさせる部品は異なるため、どちらかの部品の動作に異常があっても、照明ランプ８の消灯、遮蔽板１３の閉動作は確実に行われる。
【００１７】
一般的に照明ランプ８は点灯中は高温になったり、高電圧がかかっていたりして、蓋枠２が開状態の時に操作者が手で触れると、そのままでは好ましくない。ましてや、照明ランプ８を従動ローラ６側から抜き取って交換する際に、照明ランプ８に通電されるのは極めて好ましくない。そのため蓋枠２の開時には確実に照明ランプ８が消灯している必要がある。
【００１８】
また、蓋枠２が開位置にある状態では、フィルム原稿３の画像読取り部の開口９が露出することになり、そのままではゴミやほこりが光学系内部に侵入する。一旦内部にゴミ、ほこりが侵入すると、分解清掃が必要となるため、蓋枠２が開状態にあるときには確実に開口９を遮蔽板１３が覆っている必要がある。
【００１９】
そのために開閉スイッチ１６とロック検知スイッチ１９の２つのスイッチによる検知は有効である。更に、蓋枠２が開状態にあるときには万一読取り動作の命令があったとしても動作は行われない。従って無駄な動作による電力の浪費や、フィルム原稿が駆動ローラ４上に乗っている状態で駆動ローラ４が回転し、フィルムを傷つける等の事故を防ぐことができる。
【００２０】
また、蓋枠２が開状態で、操作ボタン２０を押してスイッチ２１をＯＮさせる（ステップＳ１１１）と、駆動モータ５によって駆動ローラ４を１０秒間程度回転させる（ステップＳ１１２）ようになっている。これは、蓋枠２を開状態にして駆動ローラ４を清掃する際に、布等を駆動ローラ４に押し付けて操作ボタン２０を押すことで駆動ローラ４が回転し、清掃作業等を容易にするための動作である。
【００２１】
本発明の実施態様の例を以下に列挙する。
（実施態様１）
駆動ローラとこの駆動ローラに当接した従動ローラとの間に原稿を挟んで移動させる原稿給送機構と、原稿上の画像を原稿位置に隣接した読取り開口を通して画像読取りセンサーに投影する光学系とを有した画像読取り装置であって、前記駆動ローラを保持する第１の枠体と、前記従動ローラを保持する第２の枠体とを有し、これら２つの枠体は、前記駆動ローラおよび前記従動ローラが当接した第１の状態と、前記駆動ローラおよび前記従動ローラが相互に分離した第２の状態とに移動可能に構成され、前記第２の状態においては原稿読取り動作が禁止されるようにしたことを特徴とする。
【００２２】
（実施態様２）
前記枠体が第２の状態になったときには、遮蔽板が前記読取り開口を覆う位置に侵入することを特徴とする。
この態様によれば、駆動ローラと従動ローラとを分離させて、フィルム画像の読取り開口が露出しても、遮蔽板が開口を覆う構造とする。原稿ジャム処理やローラの清掃の際に、読取り開口からゴミやほこりが内部に侵入するのを防止することができる。
【００２３】
（実施態様３）
前記枠体が第１の状態から第２の状態に移動したことを検知するスイッチ手段を有することを特徴とする。
この態様によれば、従動ローラを保持する部材の移動を検知するスイッチを設けることで、駆動ローラと従動ローラとが分離したことを確実に検知でき、読取り動作の禁止や遮蔽板の移動動作を確実に実施することができる。
【００２４】
【発明の効果】
以上説明したように本発明によれば、フィルム原稿を挟んで給送する駆動ローラと従動ローラを分離できるようにして、内部の清掃やフィルムジャムの処理を容易にするとともに、分離した状態での読取り動作を禁止することで不必要なときに駆動ローラを回転させて電力を浪費することを防止する。また、フィルムジャム処理時等でフィルムが駆動ローラ上にあるときに駆動ローラを回転させてフィルムに損傷を与えることも防止することができ、従って装置の安全かつ適正作動を保証し、消費電力を有効に低減することができる。
【図面の簡単な説明】
【図１】本発明の実施形態における第１の状態を表す主要構成要素の側面図である。
【図２】本発明の実施形態における第２の状態を表す主要構成要素の側面図である。
【図３】図２の部分拡大図である。
【図４】本発明の実施形態における装置動作のフローチャートである。
【符号の説明】
１    本体枠
２    蓋枠
３    フィルム原稿
４    駆動ローラ
５    駆動モータ
６    従動ローラ
７    バネ
８    照明ランプ
９    開口
１０  ミラー
１１  レンズ
１２  ＣＣＤラインセンサー
１３  遮蔽板
１４  モータ
１５  ギア
１６  開閉スイッチ
１７  ロックレバー
１８  バネ
１９  ロック検知スイッチ
２０  操作ボタン
２１  スイッチ
２２  制御回路
【図１】
2004254169.tif 000003
【図２】
2004254169.tif 000004
【図３】
2004254169.tif 000005
【図４】
2004254169.tif 000006